(57)【要約】【課題】放出するメダルの飛散を防止して前方斜め下向きにメダルを放出するのに好適な樹脂製のメダル補給シュートを提供する【解決手段】本体部（１０）のメダル通路（３２）の下面には上部開口から前記下部開口に向った夫々凸条の複数の第１リブが形成される。本体部の底面には前記第１リブの形成方向と交差する方向に向った夫々凸条の複数の第２リブが形成される。本体部の下部開口の前で基端側からダル通路に連なる上面と側面と先端面を内面に持ち本体部に着脱可能であって基準位置の上方で回動可能に枢着された樹脂製の案内部（１１）は、内面の内の上面及び先端面に前記案内部の基端側から先端側に向った夫々凸条の複数の第３リブが形成される。【選択図】図１
2018010344.tif 000002
【特許請求の範囲】
【請求項１】
メダルゲーム機にメダルを補給するメダル補給シュートであって、
外部からメダルが供給される上部開口及びメダルを放出する斜め下方に向いた下部開口に連通する筒状のメダル通路が形成された樹脂製の本体部と、
前記下部開口の前で基端側から前記メダル通路に連なる上面と側面と先端面を内面に持ち前記本体部に着脱可能であって基準位置の上方で回動可能に枢着された樹脂製の案内部と、を有し、
前記メダル通路の下面には前記上部開口から前記下部開口に向った夫々凸条の複数の第１リブが形成され、
前記本体部の底面には前記第１リブの形成方向と交差する方向に向った夫々凸条の複数の第２リブが形成され、
前記案内部の内面の内の上面及び先端面には前記案内部の基端側から先端側に向った夫々凸条の複数の第３リブが形成された、メダル補給シュート。
【請求項２】
請求項１において、前記メダル通路の筒内における上面に対して前記案内部の内面における上面がほぼ同じ傾きとなる位置を、前記本体部に対する前記案内部の基準位置とする、メダル補給シュート。
【請求項３】
請求項２において、前記第３リブの夫々の凸条の横断面は方形状であり、その横断面積は、前記第１リブの夫々の凸条の横断面積よりも大きく、且つ前記第２リブの夫々の凸条の横断面積よりも大きくされている、メダル補給シュート。
【請求項４】
請求項３において、前記本体部の上部開口に挿入されて前後左右に傾動可能に装着された胴部を更に有し、
前記胴部は前記本体部の上部開口に連通する連通行孔を有し、外形がほぼ正六角柱状を有し、
前記胴部の同一円周方向には半径方向に弾性変形する突起状ストッパが複数個対向して形成され、
金属線をコイル状に密着巻きされて成形した蛇腹管が前記胴部の筒内に挿入されたとき、前記突起状ストッパが、蛇腹管の金属線を求心方向に弾性的に押圧することで前記蛇腹管を係止する、メダル補給シュート。
【発明の詳細な説明】
【技術分野】
【０００１】
本発明は、メダルゲーム機又はメダル貸出機などのメダル処理機にメダルを補給するメダル補給シュートに関する。
【背景技術】
【０００２】
従来のメダル補給シュートの多くは金属製であったが、本出願人は特許文献１に記載の如く樹脂製のメダル補給シュートについて先に提案した。
【先行技術文献】
【特許文献】
【０００３】
【特許文献１】意匠登録第１４４０１０１号公報
【発明の概要】
【発明が解決しようとする課題】
【０００４】
特許文献１のメダル補給シュートは樹脂製故に部分的に厚肉で形成して強度を得ようとする考慮が払われている。しかしながら、メダル補給シュートのメダル放出口は本体部の先端に単に開口を形成しただけであり、メダル補給シュートからメダルゲーム機やメダル貸出機などに供給されるメダルはメダル放出口から勢い良く前方に吐き出されるだけである。そうすると、メダルゲーム機やメダル貸出機側では、メダル補給シュートから吐き出されたメダルが飛散したりしないよう必要な方向に導くためのガイドを新たに用意しなければならない。しかも、そのガイドはメダル放出口から勢い良く吐き出されるメダルを受け止めなければならないから、本体部と同様に高い強度を必要とする。
【０００５】
本発明の目的は、放出するメダルの飛散を防止して前方斜め下向きにメダルを放出するのに好適な樹脂製のメダル補給シュートを提供することにある。
【０００６】
本発明の前記並びにその他の目的と新規な特徴は本明細書の記述及び添付図面から明らかになるであろう。
【課題を解決するための手段】
【０００７】
本願において開示される発明のうち代表的なものの概要を簡単に説明すれば下記の通りである。尚、本項において括弧内に記載した図面内参照符号などは理解を容易化するための一例である。
【０００８】
すなわち、メダル処理機にメダルを補給するメダル補給シュート（１）は、外部からメダルが供給される上部開口（３０）及びメダルを放出する斜め下方に向いた下部開口（３１）に連通する筒状のメダル通路（３２）が形成された樹脂製の本体部（１０）と、前記下部開口の前で基端側から前記メダル通路に連なる上面（４０）と側面（４１）と先端面（４２）を内面に持ち前記本体部に着脱可能であって基準位置の上方で回動可能に枢着された樹脂製の案内部（１１）と、を有する。前記メダル通路の下面には前記上部開口から前記下部開口に向った夫々凸条の複数の第１リブ（２０）が形成される。前記本体部の底面には前記第１リブの形成方向と交差する方向に向った夫々凸条の複数の第２リブ（２１）が形成される。前記案内部の内面の内の上面及び先端面には前記案内部の基端側から先端側に向った夫々凸条の複数の第３リブ（２２）が形成される。
【０００９】
これによれば、第１リブとこれに交差する方向の第２リブにより本体部の底面側を厚肉とすることができ本体部に補給されたメダルから比較的大きな力を連続的に受ける部位の強度を増すことができる。特に、単成る厚肉ではなくリブを形成して厚肉にするので、金型を用いた樹脂成形に際して厚肉部で冷却が不均一になることによって生じ易い所謂“引け”による変形や巣の発生を抑制することができる。さらに、内面に第３リブを形成した案内部についても上記同様に変形や巣の発生を抑制することができることから案内部の強度を増すことができる。その上、案内部は本体部に対してその基準位置の上方で回動可能に枢着されているから、案内部に導かれたメダルが案内部に上向きの力を作用しても案内部は上方回動によって逃げることができるので、多量のメダルが一気に供給された場合にもメダルの詰まりや案内部の破棄を抑制することができる。
【００１０】
上記において、前記メダル通路の筒内における上面に対して前記案内部の内面における上面がほぼ同じ傾きとなる位置を、前記本体部に対する前記案内部の基準位置とするのがよい。これによれば、本体部から案内部に案内されるメダルの詰まりを予防するのに好適である。
【００１１】
上記において、前記第３リブの夫々の凸条の横断面は方形状であり、その横断面積は、前記第１リブの夫々の凸条の横断面積よりも大きく、且つ前記第２リブの夫々の凸条の横断面積よりも大きくするのがよい。これによれば、メダル補給シュートに供給されるメダルの運動エネルギーと位置エネルギーが最も大きくなると予想される位置でメダルに接触する性質上、案内部に良好な強度を得ることができる。
【００１２】
上記において、前記本体部の上部開口に挿入されて前後左右に傾動可能に装着された胴部（１２）を更に有してもよい。このとき、前記胴部は前記本体部の上部開口に連通する連通孔（５０）を有し、外形がほぼ正六角柱状を有し、前記胴部の同一円周方向には半径方向に弾性変形する突起状ストッパ（５１）が複数個対向して形成される。線材をコイル状に密着巻きして成形した蛇腹管が前記胴部の筒内に挿入されたとき、前記突起状ストッパは、蛇腹管（６０）の線材を求心方向に押圧して弾性変形することで前記蛇腹管を係止する。これによれば、メダル補給装置からメダル補給シュートにメダルを導く通路を蛇腹管によって容易に形成することができる。
【発明の効果】
【００１３】
本願において開示される発明のうち代表的なものによって得られる効果を簡単に説明すれば下記の通りである。
【００１４】
すなわち、放出するメダルの飛散を防止して前方斜め下向きにメダルを放出するのに好適な樹脂製のメダル補給シュートを提供することができる
【図面の簡単な説明】
【００１５】
【図１】図１は本発明の一実施の形態に係るメダル補給シュートの全体斜視図である。
【図２】図２は本発明の一実施の形態に係るメダル補給シュートの平面図である。
【図３】図３は本発明の一実施の形態に係るメダル補給シュートの側面図である。
【図４】図４は本発明の一実施の形態に係るメダル補給シュートの本体部の正面図である。
【図５】図５は本発明の一実施の形態に係るメダル補給シュートの本体部の斜視図である。
【図６】図６は本発明の一実施の形態に係るメダル補給シュートの案内部の第３リブを示した斜視図である。
【図７】図７は本発明の一実施の形態に係るメダル補給シュートの胴部を部分的に切り欠いて示した斜視図である。
【発明を実施するための形態】
【００１６】
図１乃至図３には本発明の一実施の形態に係るメダル補給シュート１が例示される。メダル補給シュート１はメダル処理機の一例であるメダルゲーム機の背面２に装着され、開口３から其の先端部がメダルゲーム機内部に挿入され、図示を省略するメダル補給機からメダルの補給を受けて、メダルゲーム機にメダルを放出する。メダル補給シュート１は、夫々樹脂製の本体部１０及び案内部１１を有し、特に制限されないが、ここでは樹脂製の胴部１２も備える。上記樹脂の材料としてポリオキシメチレン（PolyOxyMethylene）若しくはポリアセタールと呼ばれる熱可塑性樹脂を採用することができる。樹脂材料を所定の金型に流し込んで成形することによって所要の形状を形成することができ、耐摩耗性、寸法安定性に優れ、良好な機械的強度が得られる。
【００１７】
本体部１０は図５に例示されるように、メダルが供給される上部開口３０及びメダルを放出する斜め下方に向いた下部開口３１に連通する筒状のメダル通路３２が形成されている。前記メダル通路３２の下面には前記上部開口３０から前記下部開口３１に向った夫々凸条の複数の第１リブ２０が形成される。本体部１０の底面には第１リブ２０の形成方向と交差する方向に向った夫々凸条の複数の第２リブ２１が形成される。図５において３４はメダルゲーム機の背面２に本体部１０をねじ止めするためのブラケット部である。図５に示されるように、下部開口３１から一対の電極板７１、７１を装着溝３５、３５に挿入してビス７０で固定できるようになっている。ビスには図示を省略する導線が接続され、メダル通路３２内でメダルが詰まったとき電極板７１，７１の間が電気的に導通することによって詰まりの発生を検出することができる。尚、図４には電極板７１，７１を装着する構造の図示を省略してある。
【００１８】
案内部１１は図１、図３及び図６に例示されるように、本体部１０の下部開口３１の前で基端側から前記メダル通路に連なる上面４０と側面４１と先端面４２を内面に持ち、本体部１０に形成されピン３４に装着孔４３を嵌入することにより、案内部１１は基準位置の上方で本体部１０に回動可能に枢着されている。案内部１１は本体部１０から着脱可能である。ここで、前記メダル通路３２の筒内における上面に対して案内部１１の内面における上面４０がほぼ同じ傾きとなる位置を、前記本体部１０に対する前記案内部１１の基準位置とするのがよい。本体部１０から案内部１１にスムースにメダルを移動させることができるからである。
【００１９】
図６に例示されるように、案内部１１の内面の内の上面４０及び先端面４２には案内部１１の基端側から先端側に向った夫々凸条の複数の第３リブ２２が形成されている。第３リブ２２の夫々の凸条の横断面は方形状であり、その横断面積は、前記第１リブ２０の夫々の凸条の横断面積よりも大きく、且つ第２リブ２１の夫々の凸条の横断面積よりも大きくするのがよい。
【００２０】
胴部１２は、特に制限されないが、本体部１０の上部開口３０に連通する連通孔５０を有し、外形がほぼ正六角柱状を呈し、本体部１０の上部開口３０から余裕を持って挿入可能な大きさを有している。図１乃至４に例示されるように、胴部１２の側面にはピン５３が２箇所に突設され、本体部１０の正面と背面に形成されている長孔３３にピン５３が挿入されることにより、胴部１２は本体部１０の上部開口３０内で前後左右に傾動可能に支持される。
【００２１】
図７に例示されるように、胴部１２の同一円周方向には切り溝５２によって半径方向に弾性変形する切片５４に突起状ストッパ５１が求心方向に対向して２個形成されている。胴部１２の筒内にはステンレス線などの線材がコイル状に密着巻きされて形成された蛇腹管６０が挿入され、突起状ストッパ５１は、挿入された蛇腹管６０の線材を求心方向に押圧して切片５４を半径方向に弾性変形することで蛇腹管６０を係止するようになっている。切片５４の遠心方向には押圧バンド（図示を省略する）の支持溝５３が形成され、蛇腹管６０を係止した突起状ストッパ５１が遠心方向に動くのを阻止して胴部１２と蛇腹管６０の結合を維持できるようになっている。メダル補給シュート１には図示を省略するメダル補給装置から蛇腹管６０を介してメダルが導かれることになる。蛇腹管６０はその性質上柔軟性を有するので、メダル補給シュート１とメダル補給装置との配置誤差を容易に吸収することができる。尚、切片５４、突起状ストッパ５１及び支持溝５３は図１乃至図４では図示を省略してある。
【００２２】
上記実施の形態によれば以下の作用効果を奏する。
【００２３】
第１リブ２０とこれに交差する方向の第２リブ２１により本体部１０の底面側を厚肉とすることができ、本体部１０に補給されたメダルから比較的大きな力を連続的に受ける部位の強度を増すことができる。特に、単成る厚肉ではなくリブ２０、２１を形成して厚肉にするので、金型を用いた樹脂成形に際して厚肉部で冷却が不均一になることによって生じ易い所謂“引け”による変形や巣の発生を抑制することができ、所期の強度を確保でき、不所望な変形でメダルの流れが阻害されることも無い。更に、内面に第３リブ２２を形成した案内部１１についても上記同様に変形や巣の発生を抑制することができることから案内部１１の強度を増すことができる。その上、案内部１１は本体部１０に対してその基準位置の上方で回動可能に枢着されているから、案内部１１に導かれたメダルが案内部１１に上向きの力を作用しても案内部１１は上方回動によって逃げることができるので、多量のメダルが一気に供給された場合にもメダルの詰まりや案内部の破棄を抑制することができる。
【００２４】
メダル通路３２の筒内における上面に対して案内部１１の内面における上面４０がほぼ同じ傾きとなる位置を本体部１０に対する案内部１１の基準位置とするから、本体部１０から案内部１１に案内されるメダルの詰まりを予防するのに好適である。
【００２５】
また、第３リブ２２の夫々の凸条の横断面は方形状であり、その横断面積は、前記第１リブ２０の夫々の凸条の横断面積よりも大きく、且つ前記第２リブ２１の夫々の凸条の横断面積よりも大きいから、メダル補給シュート１に供給されるメダルの運動エネルギーと位置エネルギーが最も大きくなると予想される位置でメダルに接触する第３リブ２２の性質上、案内部１１に良好な強度を得ることができる。
【００２６】
更に、メダル補給装置からメダル補給シュート１にメダルを導く通路を蛇腹管６０によって容易に形成することができる。
【００２７】
以上本発明者によってなされた発明を実施の形態に基づいて具体的に説明したが、本発明はそれに限定されるものではなく、その要旨を逸脱しない範囲において種々変更可能であることは言うまでもない。
【００２８】
例えば、リブの形状や大きさは適宜変更可能である。第２リブは第１リブに直交する方向に形成する場合に限定されず斜め方向に交差するように形成しても良い。本発明のメダル補給シュートはメダル貸出機へのメダル補給にも適用することができる。
【符号の説明】
【００２９】
１  メダル補給シュート
１０  本体部
１１  案内部
１２  胴部
２０  第１リブ
２１  第２リブ
２２  第３リブ
３０  上部開口
３１  下部開口
３２  メダル通路
４０  上面
４１  側面
４２  先端面
５０  連通孔
５１  突起状ストッパ
６０  蛇腹管
【図１】
2018010344.tif 000003
【図２】
2018010344.tif 000004
【図３】
2018010344.tif 000005
【図４】
2018010344.tif 000006
【図５】
2018010344.tif 000007
【図６】
2018010344.tif 000008
【図７】
2018010344.tif 000009